(57)【要約】【課題】ユーザからの適用する信号フォーマットの変更要求に即応可能であり、また、ＯＶＰＮ内の信号転送を多重化を用いて効率良く行うことができ、さらに、長大な信号でも分割転送することにより信号長を自由に設定することができるＯＶＰＮを実現する。【解決手段】ユーザが、どのようなレイヤ１信号をＯＶＰＮに接続したいのかを通知可能とする制御線を用い、ユーザがＯＶＰＮ終端装置を制御する。ユーザからのデータ線を複数種類の信号変換器に接続し、様々なレイヤ１信号をＯＶＰＮに収容可能とする。特に、ユーザが用いるレイヤ１信号をＯＶＰＮのレイヤ１よりも上位レイヤ信号によってカプセリングしてＯＶＰＮ内を伝送させる。この際に、ＯＶＰＮ内で同じ対地に向かう信号は多重して伝送する。あるいは、レイヤ１信号を複数に分割してＯＶＰＮのレイヤ１よりも上位レイヤの信号によりカプセリングする。【選択図】  図１
2004193653.tif 000002
【特許請求の範囲】
【請求項１】
ＯＶＰＮ（Ｏｐｔｉｃａｌ  Ｖｉｒｔｕａｌ  Ｐｒｉｖａｔｅ  Ｎｅｔｗｏｒｋ）加入者のユーザ装置に適用されたレイヤ１の第一の信号フォーマットと前記ＯＶＰＮに適用されたレイヤ１よりも上位レイヤの第二の信号フォーマットとを相互に変換する手段を備え、
当該相互に変換する手段は、複数の異なる前記第一の信号フォーマットに対応して複数設けられ、
前記相互に変換する手段は、
前記ユーザ装置から送出される前記第一の信号フォーマットを前記第二の信号フォーマットによりカプセリングして前記ＯＶＰＮに転送する手段と、
前記ＯＶＰＮから送出される前記第二の信号フォーマットによりカプセリングされた信号を前記第一の信号フォーマットにデカプセリングして前記ユーザ装置に転送する手段と
を備えたことを特徴とするＯＶＰＮシステム。
【請求項２】
前記ＯＶＰＮに転送する手段は、前記第二の信号フォーマットによる複数の信号を多重する手段を備えた請求項１記載のＯＶＰＮシステム。
【請求項３】
前記ＯＶＰＮに転送する手段は、前記第一の信号フォーマットによる一連の信号を前記第二の信号フォーマットによる複数の信号に分割してカプセリングする手段を備えた請求項１記載のＯＶＰＮシステム。
【請求項４】
ＯＶＰＮ加入者のユーザ装置に適用されたレイヤ１の第一の信号フォーマットと前記ＯＶＰＮに適用されたレイヤ１よりも上位レイヤの第二の信号フォーマットとを相互に変換する手段を備え、当該相互に変換する手段は、複数の異なる前記第一の信号フォーマットに対応して複数設けられたＯＶＰＮ加入者のユーザ装置を収容するＯＶＰＮ終端装置において、
前記相互に変換する手段を自装置内に備え、
前記相互に変換する手段は、
前記ユーザ装置から送出される前記第一の信号フォーマットを前記第二の信号フォーマットによりカプセリングして前記ＯＶＰＮに転送する手段と、
前記ＯＶＰＮから送出される前記第二の信号フォーマットによりカプセリングされた信号を前記第一の信号フォーマットにデカプセリングして前記ユーザ装置に転送する手段と
を備えたことを特徴とするＯＶＰＮ終端装置。
【請求項５】
前記ＯＶＰＮに転送する手段は、前記第二の信号フォーマットによる複数の信号を多重する手段を備えた請求項４記載のＯＶＰＮ終端装置。
【請求項６】
前記ＯＶＰＮに転送する手段は、前記第一の信号フォーマットによる一連の信号を前記第二の信号フォーマットによる複数の信号に分割してカプセリングする手段を備えた請求項４記載のＯＶＰＮ終端装置。
【請求項７】
ＯＶＰＮ加入者のユーザ装置に適用されたレイヤ１の第一の信号フォーマットと前記ＯＶＰＮに適用されたレイヤ１よりも上位レイヤの第二の信号フォーマットとを相互に変換する手段を備え、
当該相互に変換する手段は、複数の異なる前記第一の信号フォーマットに対応して複数設けられ、
複数の請求項４ないし６のいずれかに記載のＯＶＰＮ終端装置に共通に前記相互に変換する手段の機能を提供する手段を備えた
ことを特徴とする集中変換装置。
【請求項８】
請求項１ないし３のいずれかに記載のＯＶＰＮシステムまたは請求項４ないし６のいずれかに記載のＯＶＰＮ終端装置または請求項７記載の集中変換装置を備えたことを特徴とする光通信網。
【発明の詳細な説明】
【０００１】
【発明の属する技術分野】
本発明は、ＶＰＮ（Ｖｉｒｔｕａｌ  Ｐｒｉｖａｔｅ  Ｎｅｔｗｏｒｋ）に関する。特に、マルチレイヤネットワークにおける様々なレイヤ１信号を収容可能であるレイヤ１ＶＰＮやＯＶＰＮ（Ｏｐｔｉｃａｌ  Ｖｉｒｔｕａｌ  Ｐｒｉｖａｔｅ  Ｎｅｔｗｏｒｋ）と呼ばれるＶＰＮに関する。
【０００２】
【従来の技術】
ＶＰＮは、公衆ネットワークを利用しながら、あたかもプライベートにネットワークを利用しているような環境をユーザに提供するサービスである。図１５は従来のＯＶＰＮ構成例を示す図であるが、従来の技術では、図１５に示すように、ユーザが拠点間でＯＶＰＮを構成する場合に、拠点間に光専用線２３〜２５をネットワークプロバイダから借りて接続し、ＯＶＰＮを構成するのが一般的である。この場合に、光専用線２３〜２５は、光クロスコネクト装置（以下では、ＯＸＣと記す）１０〜１２によって設定される。また、ＯＸＣ１０〜１２は、ＯＶＰＮ制御端末１３〜１５から制御用専用線１〜６によって設定される。ＯＶＰＮ制御端末１３〜１５をユーザに提供する場合には、ネットワークプロバイダが保有するＯＸＣ１０〜１２の一部機能の制御をユーザが行えるようにしている。
【０００３】
このようなＯＶＰＮにおいて、マルチレイヤネットワークにおける上位レイヤ信号をトランスペアレントに伝達する機能を有する専用線を構成する技術として、ＳＤＨ／ＳＯＮＥＴや、ＯＴＮ（Ｏｐｔｉｃａｌ  Ｔｒａｎｓｐｏｒｔ  Ｎｅｔｗｏｒｋ）という技術がある。様々な上位レイヤ信号（例えば、ＰＤＨ、Ｅｔｈｅｒｎｅｔ（登録商標）、Ｇｉｇａｂｉｔ  Ｅｔｈｅｒｎｅｔ、Ｆｉｂｅｒ  ｃｈａｎｎｅｌ、ＳＤＨ／ＳＯＮＥＴ、ＯＴＮ等）を、網の入口でＳＤＨ／ＳＯＮＥＴのパスペイロード、あるいはＯＴＮの光チャネル（ＯＣｈ）ペイロードに収容する信号変換器と、網の出口でペイロードから収容した上位レイヤ信号を取り出して出力する信号変換器を介して伝達することで、上位レイヤのディジタル信号をトランスペアレントに伝達する機能を提供している。
【０００４】
現状の技術レベルでは、Ｇｉｇａｂｉｔ  ＥｔｈｅｒｎｅｔとＦｉｂｅｒ  ｃｈａｎｎｅｌといった、一部の例外を除くと、同一の信号変換器で複数の上位レイヤ信号を取り扱うことができない。
【０００５】
したがって、ＯＶＰＮを上述の信号変換器を用いて構成した場合に、ＯＶＰＮを利用するユーザは、予め使用する上位レイヤ信号をＯＶＰＮ提供者に届け出を行い、所望の信号変換器をＯＶＰＮの終端装置に配備してもらわなくてはならない（例えば、非特許文献１参照）。
【０００６】
【非特許文献１】
三澤、片山、岡本、山中“Ｏｐｔｉｃａｌ  ＶＰＮサービスの提案”２００２信学ソサエティ大会ＳＢ−６−４
【０００７】
【発明が解決しようとする課題】
このように、従来のＯＶＰＮでは、上位レイヤ信号をトランスペアレントに伝達するという機能を提供することは可能であるが、収容する上位レイヤ信号をＯＶＰＮユーザが変更したいという要求に対しては、信号変換器の取替えやファイバの接続変更といった作業が必要となり、ユーザからの変更要求に対して即応できないという問題がある。
【０００８】
本発明は、このような背景に行われたものであって、ユーザからの適用する信号フォーマットの変更要求に即応可能なＯＶＰＮを提供することを目的とする。
また、本発明は、ＯＶＰＮ内の信号転送を多重化を用いて効率良く行うことができ、さらに、長大な信号でも分割転送することにより信号長を自由に設定することができるＯＶＰＮを提供することを目的とする。
【０００９】
【課題を解決するための手段】
本発明では、ＯＶＰＮのユーザが、どのようなレイヤ１信号をＯＶＰＮに接続したいのかをＯＶＰＮ終端装置あるいはＯＶＰＮシステムに通知可能とするための制御線を用いることを第一の特徴としている。制御線をＯＶＰＮユーザに提供することにより、ユーザがＯＶＰＮを制御することが可能となる。
【００１０】
また、ユーザからのデータ線を光スイッチを介して複数種類の信号変換器に接続することが第二の特徴である。光スイッチを介することで、様々なレイヤ１信号をＯＶＰＮに収容可能となる。
【００１１】
さらに、ユーザからの制御線により入力された情報に基づいて光スイッチを制御する制御装置を用いることが第三の特徴である。これにより、ＯＶＰＮのエンド・エンドでのユーザ主導のレイヤ１信号の種別変更に即応することが可能となる。
【００１２】
ここで、本発明に適用するマルチレイヤネットワークについて図１３および図１４を参照して簡単に説明する。図１３はレイヤ１ネットワークのトポロジを示す図である。図１４はレイヤ３ネットワークとレイヤ１ネットワークとのトポロジの対応関係を示す図である。一例として、レイヤ３ネットワークはＩＰネットワークであり、レイヤ３フレームはＩＰパケットである。また、レイヤ１フレームは、イーサネットフレームである。レイヤ２ネットワークは、例えば、ＳＤＨであるが、ここでは説明をわかりやすくするために省略する。図１３に示すレイヤ１ネットワークのトポロジでは、レイヤ１フレームの処理を行うノードにより構成されるトポロジしか見えない。また、レイヤ１ネットワークでは、見かけ上は全てレイヤ１フレームによってデータ伝送が行われる。
【００１３】
ところが本発明に適用するマルチレイヤネットワークには、図１４に示すように、レイヤ１ネットワークのバックボーンネットワークとしてのレイヤ３ネットワークが存在する。レイヤ３ネットワークでは、レイヤ３フレームのＩＰパケットによってデータ転送が行われる。
【００１４】
すなわち、発信側のユーザ装置からレイヤ１フレームで発信側のノードまで到達した信号は、発信側のノードで、いったんレイヤ３フレームの信号にカプセリングされ、着信側のルータまでレイヤ３ネットワークを伝送される。レイヤ３ネットワークの着信側のルータまで到達した信号は、ここでまたレイヤ１フレームにデカプセリングされ、着信側のユーザ装置に到着する。
【００１５】
これにより、実際には途中でいったん信号をレイヤ１フレームからレイヤ３フレームにカプセリングされるが、それはレイヤ１ネットワークの観点からは認識されることはなく、見かけ上では、図１３に示すように、発信側のユーザ装置から着信側のユーザ装置まで一貫してレイヤ１フレームにより信号が伝達されたかのように見える。
【００１６】
本発明では、ＯＶＰＮに適用されるレイヤ１よりも上位レイヤの信号フォーマットにより、ユーザ装置が用いるレイヤ１の信号フォーマットをカプセリングおよびデカプセリングすることを特徴とする。元々、ＯＶＰＮは擬似的にＬ１トランスペアレント専用線網を作り出すサービスであるから、ユーザからＯＶＰＮ内がＬ１トランスペアレント専用線網に見えさえすれば、実際には、ＯＶＰＮ内はレイヤ２あるいはレイヤ３ネットワークであってもよい。例えば、レイヤ３ネットワークはＩＰネットワークであるが、ＩＰネットワークであれば、発側のルータからの複数のＩＰパケットを多重して伝送し、着側のルータでＩＰヘッダを見て宛先を振り分けることができる。これにより、ＯＶＰＮ内の伝送効率を高めることができる。また、一連の信号が一つのフレームに入りきれず、一連の信号を分割して複数のフレームに分けて伝送することもできる。
【００１７】
これにより、ユーザからの適用する信号フォーマットの変更要求に即応可能であり、また、ＯＶＰＮ内の信号転送を多重化を用いて効率良く行うことができ、さらに、長大な信号でも分割転送することにより信号長を自由に設定することができるＯＶＰＮを実現することができる。
【００１８】
すなわち、本発明の第一の観点はＯＶＰＮシステムであって、本発明の特徴とするところは、ＯＶＰＮ加入者のユーザ装置に適用されたレイヤ１の第一の信号フォーマットと前記ＯＶＰＮに適用されたレイヤ１より上位レイヤの第二の信号フォーマットとを相互に変換する手段を備え、当該相互に変換する手段は、複数の異なる前記第一の信号フォーマットに対応して複数設けられ、前記相互に変換する手段は、前記ユーザ装置から送出される前記第一の信号フォーマットを前記第二の信号フォーマットによりカプセリングして前記ＯＶＰＮに転送する手段と、前記ＯＶＰＮから送出される前記第二の信号フォーマットによりカプセリングされた信号を前記第一の信号フォーマットにデカプセリングして前記ユーザ装置に転送する手段とを備えたところにある。
【００１９】
前記ＯＶＰＮに転送する手段は、前記第二の信号フォーマットによる複数の信号を多重する手段を備えることが望ましい。あるいは、前記ＯＶＰＮに転送する手段は、前記第一の信号フォーマットによる一連の信号を前記第二の信号フォーマットによる複数の信号に分割してカプセリングする手段を備えることが望ましい。
【００２０】
これにより、ユーザは、その適用する信号フォーマットによらず柔軟にＯＶＰＮを構成することができる。さらに、本発明では、信号の多重化または分割を行うので、効率のよい信号転送を行うことができる。
【００２１】
本発明の第二の観点は、ＯＶＰＮ加入者のユーザ装置に適用されたレイヤ１の第一の信号フォーマットと前記ＯＶＰＮに適用されたレイヤ１より上位レイヤの第二の信号フォーマットとを相互に変換する手段を備え、当該相互に変換する手段は、複数の異なる前記第一の信号フォーマットに対応して複数設けられたＯＶＰＮ加入者のユーザ装置を収容するＯＶＰＮ終端装置である。
【００２２】
ここで、本発明の特徴とするところは、前記相互に変換する手段を自装置内に備え、前記相互に変換する手段は、前記ユーザ装置から送出される前記第一の信号フォーマットを前記第二の信号フォーマットによりカプセリングして前記ＯＶＰＮに転送する手段と、前記ＯＶＰＮから送出される前記第二の信号フォーマットによりカプセリングされた信号を前記第一の信号フォーマットにデカプセリングして前記ユーザ装置に転送する手段とを備えたところにある。
【００２３】
前記ＯＶＰＮに転送する手段は、前記第二の信号フォーマットによる複数の信号を多重する手段を備えることが望ましい。あるいは、前記ＯＶＰＮに転送する手段は、前記第一の信号フォーマットによる一連の信号を前記第二の信号フォーマットによる複数の信号に分割してカプセリングする手段を備えることが望ましい。
【００２４】
本発明の第三の観点は集中変換装置であって、本発明の特徴とするところは、ＯＶＰＮ加入者のユーザ装置に適用されたレイヤ１の第一の信号フォーマットと前記ＯＶＰＮに適用されたレイヤ１よりも上位レイヤの第二の信号フォーマットとを相互に変換する手段を備え、当該相互に変換する手段は、複数の異なる前記第一の信号フォーマットに対応して複数設けられ、複数の本発明のＯＶＰＮ終端装置に共通に前記相互に変換する手段の機能を提供する手段を備えたところにある。
【００２５】
これにより、ＯＶＰＮ終端装置に前記相互に変換する手段を備える必要がなく、ＯＶＰＮ終端装置の構成を簡単化および低コスト化することができる。
【００２６】
本発明の第四の観点は、本発明のＯＶＰＮシステムまたはＯＶＰＮ終端装置または集中変換装置を備えたことを特徴とする光通信網である。
【００２７】
【発明の実施の形態】
（第一実施例）
第一実施例を図１および図４を参照して説明する。図１は第一実施例のＯＶＰＮ構成を説明するための図である。図２はイーサフレームおよびＳＤＨフレームをＩＰカプセル化およびＩＰデカプセル化する状況を示す図である。図３はイーサフレームおよびＳＤＨフレームをＭＰＬＳカプセル化およびＭＰＬＳデカプセル化する状況を示す図である。図４は第一実施例のＯＶＰＮ終端装置（その２）を説明するための図である。説明を簡単化するために、図１では、左上のユーザ装置２０−１、２１−１から左下のユーザ装置２０−２、２１−２への信号が伝送される例を示しているが、通常の通信は、同時に反対方向へも信号が伝送される。また、図１に示すＯＶＰＮ終端装置３０および８０、網制御装置４０および６０、光クロスコネクト装置５０および７０はそれぞれ同一構成の装置であり、以下では、説明を簡単化するために、主としてＯＶＰＮ終端装置３０、網制御装置４０、光クロスコネクト装置５０について説明し、ＯＶＰＮ終端装置８０、網制御装置６０、光クロスコネクト装置７０の同一内容の説明は省略する。
【００２８】
本実施例は、図１に示すように、ＯＶＰＮ加入者のユーザ装置に適用されたレイヤ１の第一の信号フォーマットと前記ＯＶＰＮに適用されたレイヤ１より上位レイヤの第二の信号フォーマットとを相互に変換するカプセリング部３５、３６、８５、８６を備え、カプセリング部３５、３６、８５、８６は、複数の異なる前記第一の信号フォーマットに対応して複数設けられたＯＶＰＮ加入者のユーザ装置２０−１、２１−１、２２−１、２０−２、２１−２を収容し、カプセリング部３５、３６、８５、８６を自装置内に備え、カプセリング部３５、３６、８５、８６は、ユーザ装置２０−１、２１−１から送出される前記第一の信号フォーマットを前記第二の信号フォーマットによりカプセリングして前記ＯＶＰＮに転送し、前記ＯＶＰＮから送出される前記第二の信号フォーマットによりカプセリングされた信号を前記第一の信号フォーマットにデカプセリングしてユーザ装置２０−２、２１−２に転送するところにある。
【００２９】
本実施例では、ユーザ装置が用いるレイヤ１の第一の信号フォーマットとしてＳＤＨフレームおよびイーサフレームを例にとる。また、ＯＶＰＮが用いるレイヤ１より上位レイヤの第二の信号フォーマットとしてＩＰパケットあるいはＭＰＬＳパケットを用いる。前記第二の信号フォーマットによる複数の信号を多重分離するルータ３８、８８を備える。
【００３０】
図１では、一端にユーザ装置２０−１、２１−１、２２−１を収容し、他端に光クロスコネクト装置５０が接続された光スイッチ３２を備え、カプセリング部３５、３６は、当該光スイッチ３２のユーザ装置２０−１、２１−１、２２−１と対向する側のポートに設けられる。これにより、光スイッチ３２の方路切り替えにより、任意のカプセリング部３５または３６を選択することができる。
【００３１】
あるいは、図４に示すように、一端にユーザ装置２０−１、２１−１、２２−１を収容し、他端に光クロスコネクト装置５０が接続された光スイッチ３２を備え、カプセリング部３５、３６は、当該光スイッチ３２のユーザ装置２０−１、２１−１、２２−１と対向する側のポートに設けられその変換出力は当該光スイッチ３２のユーザ装置２０−１、２１−１、２２−１を収容する側のポートにルータ３８を経由して回帰する。
【００３２】
図１の光スイッチ配備例では、光スイッチ３２を切替えてカプセリング部３５または３６を選択した際に、カプセリング部の配置位置によっては光クロスコネクト装置５０の再設定が必要となる場合があるが、図４のようにカプセリング部３５、３６と光スイッチ３２とを接続することにより、光クロスコネクト装置５０の再設定を不要とすることができる。
【００３３】
光スイッチ３２の接続状態は、破線の矢印で示してある。ユーザ装置２０−１は、カプセリング部３５を選択し、ユーザ装置２１−１はカプセリング部３６を選択している。これに伴いＯＶＰＮ終端装置８０内の光スイッチ８２の接続状態も設定される。両方を設定する方法としては、送信側の制御線を介して光スイッチ制御装置３１に送られた切替要求を受信側の光スイッチ制御装置８１に転送する方法や、受信側のユーザ装置からも切替要求を送る方法等が考えられるが、どのような方法を使用するかによって本発明の形態が変更されるわけではない。ユーザからの切替要求にしたがって、レイヤ１トランスペアレント専用線が変更される。
【００３４】
各カプセリング部３５、３６は、それぞれ異なる信号フォーマットのカプセリングまたはデカプセリングに対応できるようにしておき、所望する信号フォーマットに対応するカプセリング部３５、３６を光スイッチ３２の方路切り替えにより選択する。
【００３５】
次に、カプセリングおよびデカプセリングを用いたデータのトンネリング転送の具体例について説明する。図２の例では、カプセリング部３５、３６はＩＰカプセル化およびデカプセル化装置である。ユーザが用いるレイヤ１フレームとしては、イーサフレームあるいはＳＤＨフレームである。なお、以下ではＳＤＨについて説明するがＳＯＮＥＴでも同様に説明することができる。
【００３６】
ＯＶＰＮにＩＰネットワークが用いられている場合には、ユーザ装置２０−１または２１−１からＯＶＰＮ終端装置３０に送出されたレイヤ１フレームは、カプセリング部３５、３６でＩＰヘッダが付与される。これにより、カプセリング部３５では、イーサフレームにＩＰヘッダを付与することにより、イーサフレームをＩＰパケットでカプセリングする。また、カプセリング部３６では、ＳＤＨフレームにＩＰパケットを付与することにより、ＳＤＨフレームをＩＰパケットでカプセリングする。さらに、これらのＩＰパケットは多重されてルータ３８からルータ８８に転送される。ルータ８８では、ＩＰヘッダにより宛先を振り分ける。なお、レイヤ１トランスペアレント専用線網としては、ルータ３８から８８に多重されたＩＰパケットを転送できれば、どのようなネットワークを用いることもできる。本実施例ではＯＴＮを用いた。したがって、ＩＰパケットはさらにＯＴＵでカプセリングされてレイヤ１トランスペアレント専用線網内を転送される。
【００３７】
また、ＯＶＰＮにＭＰＬＳネットワークが用いられている場合には、図３に示すように、第一の信号フォーマットがイーサフレームおよびＳＤＨフレームであるときに、第二の信号フォーマットはＭＰＬＳフレームであり、カプセリング部３５では、イーサフレームにＳｈｉｍヘッダを付与することにより、イーサフレームをＭＰＬＳフレームでカプセリングする。また、カプセリング部３６では、ＳＤＨフレームにＳｈｉｍヘッダを付与することにより、ＳＤＨフレームをＭＰＬＳフレームでカプセリングする。さらに、これらのＭＰＬＳフレームは多重されてルータ３８からルータ８８に転送される。ルータ８８では、ｓｈｉｍヘッダにより宛先を振り分ける。なお、前述したように、レイヤ１トランスペアレント専用線網としては、ルータ３８から８８に多重されたＭＰＬＳフレームを転送できれば、どのようなネットワークを用いることもできる。本実施例ではＯＴＮを用いた。したがって、ＭＰＬＳフレームはさらにＯＴＵでカプセリングされてレイヤ１トランスペアレント専用線網内を転送される。
【００３８】
また、ＯＶＰＮからＯＶＰＮ終端装置８０に送出されたＩＰパケットまたはＭＰＬＳフレームは、ルータ８８により個々のＩＰパケットまたはＭＰＬＳフレームが取り出され、さらに、カプセリング部８５、８６でＩＰパケットまたはＭＰＬＳフレームからイーサフレームまたはＳＤＨフレームが取り出されてユーザ装置２０−２または２１−２に送出される。
【００３９】
これにより、ユーザからの適用する信号フォーマットの変更要求に即応可能であり、ＯＶＰＮ内の信号転送を多重化を用いて効率良く行うことができるＯＶＰＮを実現することができる。
【００４０】
（第二実施例）
第二実施例を図５ないし図８を参照して説明する。図５は第二実施例のＯＶＰＮ構成を説明するための図である。図６は一つのＳＤＨフレームを複数に分割してＩＰカプセル化する状況を示す図である。図７は一つのＳＤＨフレームを複数に分割してＭＰＬＳカプセル化する状況を示す図である。図８は第二実施例のＯＶＰＮ終端装置（その２）を説明するための図である。第二実施例では、ＳＤＨの例を用いるがＳＤＨはＳＯＮＥＴであっても同様に説明することができる。第二実施例では、図５に示すように、網制御装置４０により光クロスコネクト装置５０の方路が設定され、拠点間にレイヤ１トランスペアレント専用線網としてのＯＴＮを介したＯＶＰＮが構成される。なお、網制御装置４０は、各拠点のユーザ装置２０−１、２１−１、２２−１により制御することができる。
【００４１】
図６の例では、図５、図８に示すカプセリング部３５および３６はＩＰカプセル化およびＩＰデカプセル化装置である。レイヤ１フレームとしては、ＳＤＨフレームである。ユーザ装置２０−１からＯＶＰＮ終端装置３０に送出されたレイヤ１フレームは、カプセリング部３５でＩＰヘッダが付与されてＩＰパケットにカプセリングされる。このときに、ＳＤＨフレームが一つのＩＰパケットフローに入りきれない場合には、多重装置３９によりＳＤＨフレームを複数に分割して複数のカプセリング部３５により複数のＩＰパケットフローにカプセリングする。なお、レイヤ１トランスペアレント専用線網としては、ルータ３８から８８に多重されたＩＰパケットを転送できれば、どのようなネットワークを用いることもできる。本実施例ではＯＴＮを用いた。したがって、ＩＰパケットはさらにＯＴＵでカプセリングされてレイヤ１トランスペアレント専用線網内を転送される。
【００４２】
また、ＯＶＰＮからＯＶＰＮ終端装置８０に送出されたＩＰパケットは、カプセリング部８５でＩＰヘッダが取り外され、さらに、多重装置８９により複数のＳＤＨフレームから一つのＳＤＨフレームが復元されユーザ装置２０−２に送出される。
【００４３】
図７の例では、図５、図８に示すカプセリング部３５および３６はＭＰＬＳカプセル化およびＭＰＬＳデカプセル化装置である。レイヤ１フレームとしては、ＳＤＨフレームである。ユーザ装置２０−１からＯＶＰＮ終端装置３０に送出されたレイヤ１フレームは、カプセリング部３５でＳｈｉｍヘッダが付与されてＭＰＬＳフレームにカプセリングされる。このときに、ＳＤＨフレームが一つのＭＰＬＳフレームフローに入りきれない場合には、多重装置３９によりＳＤＨフレームを複数に分割して複数のカプセリング部３５により複数のＭＰＬＳフレームフローにカプセリングする。なお、前述したように、レイヤ１トランスペアレント専用線網としては、ルータ３８から８８に多重されたＭＰＬＳフレームを転送できれば、どのようなネットワークも用いることもできる。本実施例ではＯＴＮを用いた。したがって、ＭＰＬＳフレームはさらにＯＴＵでカプセリングされてレイヤ１トランスペアレント専用線網内を転送される。
【００４４】
また、ＯＶＰＮからＯＶＰＮ終端装置８０に送出されたＭＰＬＳフレームは、カプセリング部８５でＳｈｉｍヘッダが取り外され、さらに、多重装置８９により複数のＳＤＨフレームから一つのＳＤＨフレームが復元されユーザ装置２０−２に送出される。また、第二実施例でも図８に示すような光スイッチ配備構成とすることができる。
【００４５】
これにより、ユーザからの適用する信号フォーマットの変更要求に即応可能であり、また、長大な信号でも分割転送することにより信号長を自由に設定することができるＯＶＰＮを実現することができる。
【００４６】
（第三実施例）
第三実施例を図９および図１０を参照して説明する。図９は第三実施例のＯＶＰＮ終端装置を説明するための図である。図１０は第三実施例のＯＶＰＮ終端装置（その２）を説明するための図である。第一および第二実施例で説明したＯＶＰＮ終端装置の構成は図９および図１０に示すように組み合わされて実装され、必要に応じて第一および第二実施例で説明した処理を適応的に実行することができる。
【００４７】
図９および図１０の例では、第一実施例で説明した処理を実行する場合には、多重装置３９は多重分離機能を休止してスルー状態とし、カプセリング部３５、３６およびルータ３８を用いる。また、第二実施例で説明した処理を実行する場合には、多重装置３９およびカプセリング部３５、３６およびルータ３８を用いる。
【００４８】
（第四実施例）
第四実施例を図１１および図１２を参照して説明する。図１１は第四実施例のＯＶＰＮ構成を説明するための図である。図１２は第四実施例のＯＶＰＮ構成（その２）を説明するための図である。第一〜第三実施例はＯＶＰＮ終端装置の実施例であったが、第四実施例では、ＯＶＰＮ終端装置を設けることなく、ＯＶＰＮ内に第一〜第三実施例で説明したカプセリングおよびデカプセリングを集中的に行う機能である集中変換装置１００、１０１を配置する。
【００４９】
すなわち、図１１に示すように、光クロスコネクト装置５０の後段に光スイッチ制御装置３１、光スイッチ３２、カプセリング部３５、３６、ルータ３８を備えた集中変換装置１００を配置する。図１１では、光クロスコネクト装置５０の他に複数の光クロスコネクト装置が光スイッチ３２に接続され、光スイッチ制御装置３１、光スイッチ３２、カプセリング部３５、３６、ルータ３８を共用している。これにより、第一〜第三実施例では、各ＯＶＰＮ終端装置にそれぞれ設けていた光スイッチ制御装置３１、光スイッチ３２、カプセリング部３５、３６、ルータ３８をＯＶＰＮ内に一つまたは複数配置し、光クロスコネクト装置が一つの光スイッチ制御装置３１、光スイッチ３２、カプセリング部３５、３６、ルータ３８を共用することよりネットワークリソースを有効に利用することができる。ただし、ルータ３８の出力の方路をさらに光クロスコネクト装置５１によって設定する必要があるので、第一〜第三実施例と比較すると、網制御装置４０および光クロスコネクト装置５０の他に網制御装置４１および光クロスコネクト装置５１を設ける必要が生じる。
【００５０】
同様に、図１２に示すように、光クロスコネクト装置５０の後段に多重装置３９、光スイッチ制御装置３１、光スイッチ３２、カプセリング部３５、３６、ルータ３８を備えた集中変換装置１０１を配置する（カプセリング部３６は図示省略）。図１２では、光クロスコネクト装置５０の他に複数の光クロスコネクト装置が多重装置３９に接続され、多重装置３９、光スイッチ制御装置３１、光スイッチ３２、カプセリング部３５、３６、ルータ３８を共用している。これにより、第一〜第三実施例では、各ＯＶＰＮ終端装置にそれぞれ設けていた光スイッチ制御装置３１、光スイッチ３２、カプセリング部３５、３６、ルータ３８、多重装置３９をＯＶＰＮ内に一つまたは複数配置し、複数の光クロスコネクト装置が一つの光スイッチ制御装置３１、光スイッチ３２、カプセリング部３５、３６、ルータ３８、多重装置３９を共用することよりネットワークリソースを有効に利用することができる。ただし、光スイッチ３２の出力の方路をさらに光クロスコネクト装置５１によって設定する必要があるので、第一〜第三実施例と比較すると、網制御装置４０および光クロスコネクト装置５０の他に網制御装置４１および光クロスコネクト装置５１を設ける必要が生じる。
【００５１】
また、図１１および図１２の構成を組み合わせて実装した集中変換装置を配置することもできる。これにより、必要に応じて図１１または図１２で説明した処理を適応的に実行することができる。この場合の構成は、図１２と同じである。
すなわち、図１２の構成で、図１１の構成を実現する場合には、多重装置３９は多重分離機能を休止してスルー状態とし、ルータ３８により多重分離を行う。
【００５２】
【発明の効果】
以上説明したように、本発明によれば、ユーザからの適用する信号フォーマットの変更要求に即応可能であり、また、ＯＶＰＮ内の信号転送を多重化を用いて効率良く行うことができ、さらに、長大な信号でも分割転送することにより信号長を自由に設定することができるＯＶＰＮを実現することができる。
【図面の簡単な説明】
【図１】第一実施例のＯＶＰＮ構成を説明するための図。
【図２】イーサフレームおよびＳＤＨフレームをＩＰカプセル化およびＩＰデカプセル化する状況を示す図。
【図３】イーサフレームおよびＳＤＨフレームをＭＰＬＳカプセル化およびＭＰＬＳデカプセル化する状況を示す図。
【図４】第一実施例のＯＶＰＮ終端装置（その２）を説明するための図。
【図５】第二実施例のＯＶＰＮ構成を説明するための図。
【図６】一つのＳＤＨフレームを複数に分割してＩＰカプセル化する状況を示す図。
【図７】一つのＳＤＨフレームを複数に分割してＭＰＬＳカプセル化する状況を示す図。
【図８】第二実施例のＯＶＰＮ終端装置（その２）を説明するための図。
【図９】第三実施例のＯＶＰＮ終端装置を説明するための図。
【図１０】第三実施例のＯＶＰＮ終端装置（その２）を説明するための図。
【図１１】第四実施例のＯＶＰＮ構成を説明するための図。
【図１２】第四実施例のＯＶＰＮ構成（その２）を説明するための図。
【図１３】レイヤ１ネットワークのトポロジを示す図。
【図１４】レイヤ３ネットワークとレイヤ１ネットワークとのトポロジの対応関係を示す図。
【図１５】従来のＯＶＰＮ構成例を示す図。
【符号の説明】
１、３、５、６、２３、２４、２５  専用線
１０、１１、１２、５０、５１、７０  クロスコネクト装置
１３、１４、１５  ＯＶＰＮ制御端末
２０−１、２０−２、２１−１、２１−２、２２−１、２２−２  ユーザ装置
３０、８０  ＯＶＰＮ終端装置
３１、８１  光スイッチ制御装置
３２、８２  光スイッチ
３５、３６、８５、８６  カプセリング部
３８、８８  ルータ
３９、８９  多重装置
４０、４１、６０  網制御装置
１００、１０１  集中変換装置
【図１】
2004193653.tif 000003
【図２】
2004193653.tif 000004
【図３】
2004193653.tif 000005
【図４】
2004193653.tif 000006
【図５】
2004193653.tif 000007
【図６】
2004193653.tif 000008
【図７】
2004193653.tif 000009
【図８】
2004193653.tif 000010
【図９】
2004193653.tif 000011
【図１０】
2004193653.tif 000012
【図１１】
2004193653.tif 000013
【図１２】
2004193653.tif 000014
【図１３】
2004193653.tif 000015
【図１４】
2004193653.tif 000016
【図１５】
2004193653.tif 000017